(57)【要約】【課題】  ドットマトリクス液晶表示手段を備えた電気炊飯器において、ドットマトリクス液晶表示手段の表示システムを改善し、メニュー設定操作の操作性の向上を図る。【解決手段】  加熱手段と、該加熱手段を加熱制御する加熱制御手段と、ドットマトリクス表示方式の液晶表示手段と、該ドットマトリクス表示方式の液晶表示手段を駆動制御する表示制御手段とを備えて成る電気炊飯器において、上記表示制御手段は、予約モード以外の通常モードでコースメニューを選択した場合には同メニューの設定に必要な項目は全て表示されるが、予約モード状態においてコースメニューを選択した場合には予約モードで予約できない項目は表示しないように構成した。【選択図】        図２７
2007050039.tif 000002
【特許請求の範囲】
【請求項１】
加熱手段と、該加熱手段を加熱制御する加熱制御手段と、ドットマトリクス表示方式の液晶表示手段と、該ドットマトリクス表示方式の液晶表示手段を駆動制御する表示制御手段とを備えてなる電気炊飯器において、上記表示制御手段は、予約モード以外の通常モードでコースメニューを選択した場合には同メニューの設定に必要な項目は全て表示されるが、予約モード状態においてコースメニューを選択した場合には予約モードで予約できない項目は表示しないように構成されていることを特徴とする電気炊飯器。
【請求項２】
液晶表示手段の表示部は、複数段の表示部よりなり、各段毎に表示項目の循環的な選択を行えるようになっていることを特徴とする請求項１記載の電気炊飯器。
【請求項３】
複数段の表示部は、炊飯加熱と炊飯加熱以外の各種加熱コース表示部およびそれら各種加熱コースの各々に含まれる各種加熱メニュー表示部の少なくとも２段の表示部よりなっていることを特徴とする請求項２記載の電気炊飯器。
【請求項４】
複数段の表示部は、上下方向に分けて並設され、下段側表示部には上段側表示部で表示されている表示メニューの内の、さらに詳細な設定項目が表示されるようになっていることを特徴とする請求項２記載の電気炊飯器。
【請求項５】
上段側表示部の表示を行った後に下段側の表示を行う場合には、上段側の表示内容が記憶手段に記憶されているが、下段側の表示を行った後に上段側の表示を行った場合には下段側の表示内容の記憶はなされないようになっていることを特徴とする請求項４記載の電気炊飯器。
【発明の詳細な説明】
【技術分野】
【０００１】
本願発明は、液晶表示手段を備えた電気炊飯器に関するものである。
【背景技術】
【０００２】
最近のマイコン制御式の電気炊飯器では、液晶表示手段を備え、白米、玄米、おかゆ、おこわ等の各種炊飯メニュー、現在時刻、タイマー炊飯予約時刻、炊飯完了残時間、調理完了残時間、通常保温、低温保温等の保温メニュー、保温時間（設定時間／経過時間）などの炊飯、調理、保温に関する各種の情報が、その動作状態（待機中、セット中、セット後、炊飯又は保温動作中など）に応じて適切に表示されるようになっている。
【０００３】
そして、これまでの液晶表示手段では、一般に文字部は予じめ表示面に固定的に設定されており、それに対して所定のマーカー部を移動（点灯）させて対応表示させる一方、時刻、時間等の数字の表示には７セグメントの液晶によるセグメント表示方式が採用されていた（例えば特許文献１参照）。
【０００４】
一方、最近では、さらに上記のようなセグメント表示方式の液晶表示手段とは別に文字や絵表示の可能なドットマトリクス表示方式の液晶表示手段を設け、数字と同時に文字や絵図をも任意の位置に表示することができるようにしたものが提案されるようになっている（例えば特許文献２参照）。
【０００５】
このように、セグメント表示方式の液晶表示手段に加えてドットマトリクス表示方式の液晶表示手段を組み合わせると、現在時刻やタイマー予約時刻、保温経過時間、各種動作状態その他を文字や絵図を組み合わせた豊富な情報内容で、分りやすくユーザーに対して提供することができるようになる。
【０００６】
【特許文献１】特開２００２−２０２４９９号公報（明細書第１−１０頁、図１−９）
【特許文献２】特開２００４−２２２９３６号公報（明細書第１−８頁、図１−２２）
【発明の開示】
【発明が解決しようとする課題】
【０００７】
しかし、上記後者の従来例の場合、ドットマトリクス表示方式の液晶表示手段の表示方法自体には何らの特別なアイデアが付加されておらず、せっかくの高度な表示情報に対応したユーザーの操作性の向上については格別な考慮がなされていない。
【０００８】
本願発明は、そのような課題に対応してなされたもので、ドットマトリクス液晶表示手段を備えた電気炊飯器において、ドットマトリクス液晶表示手段の表示システムを改善し、メニュー設定操作の操作性の向上を図ることを目的とするものである。
【課題を解決するための手段】
【０００９】
本願の請求項１〜４の発明は、それぞれ以上のような課題を解決することを目的としてなされたものであり、それぞれ次のような課題解決手段を備えて構成されている。
【００１０】
（１）  請求項１記載の発明
この発明では、加熱手段と、該加熱手段を加熱制御する加熱制御手段と、ドットマトリクス表示方式の液晶表示手段と、該ドットマトリクス表示方式の液晶表示手段を駆動制御する表示制御手段とを備えてなる電気炊飯器において、上記表示制御手段は、予約モード以外の通常モードでコースメニューを選択した場合には同メニューの設定に必要な項目は全て表示されるが、予約モード状態においてコースメニューを選択した場合には予約モードで予約できない項目は表示しないように構成されていることを特徴としている。
【００１１】
このような構成によれば、予約モードから、所定のコースメニュー、炊き分けを操作した場合、予約できないところは省略し、新たな専用画面を表示することができる。従来の機能では、レイアウトが不自然になり、見にくくなるが、該構成では、非常に見易い表示となる。
【００１２】
その結果、操作性、視認性の向上が図られる。
【００１３】
（２）  請求項２記載の発明
この発明では、上記請求項１記載の発明において、液晶表示手段の表示部は、複数段の表示部よりなり、各段毎に表示項目の循環的な選択を行えるようになっていることを特徴としている。
【００１４】
このような構成によれば、表示部が、複数段の表示部よりなっていることから、各段毎に容易に表示項目を見分けることができる。
【００１５】
しかも、それら各段の表示項目は、それぞれ循環的な選択を行えるようになっているので、繰り返し見て選択することができ、誤操作が生じにくい。
【００１６】
（３）  請求項３記載の発明
この発明では、上記請求項２記載の発明において、複数段の表示部は、炊飯加熱と炊飯加熱以外の各種加熱コース表示部およびそれら各種加熱コースの各々に含まれる各種加熱メニュー表示部の少なくとも２段の表示部よりなっていることを特徴としている。
【００１７】
このような構成によれば、複数段の表示部が、炊飯加熱と炊飯加熱以外の各種加熱コース表示部およびそれら各種加熱コースの各々に含まれる各種加熱メニュー表示部の少なくとも２段の表示部よりなっている場合において、請求項２の発明と同様の作用を得ることができる。
【００１８】
（４）  請求項４記載の発明
この発明では、上記請求項２記載の発明において、複数段の表示部は、上下方向に分けて並設され、下段側表示部には上段側表示部で表示されている表示メニューの内の、さらに詳細な設定項目が表示されるようになっていることを特徴としている。
【００１９】
このように複数段の表示部は、上下方向に分けて並設され、下段側表示部には上段側表示部で表示されている表示メニューの内の、さらに詳細な設定項目が表示されるようになっていると、上段側から下段側に順次メニュー設定して行けば良くなるので、非常に分かりやすく設定操作が楽になる。
【００２０】
（５）  請求項５記載の発明
この発明では、上記請求項４記載の発明において、上段側表示部の表示を行った後に下段側の表示を行う場合には、上段側の表示内容が記憶手段に記憶されているが、下段側の表示を行った後に上段側の表示を行った場合には下段側の表示内容の記憶はなされないようになっていることを特徴としている。
【００２１】
このような構成によれば、誤った対応関係での設定を防止することができる。
【発明の効果】
【００２２】
以上の結果、本願発明によると、ドットマトリクス表示方式の液晶表示手段の視認性の良さを活かした、より操作性の高い電気炊飯器を提供することができるようになる。
【発明を実施するための最良の形態】
【００２３】
図１〜図３１は、本願発明の最良の実施の形態に係る電気炊飯器の本体および要部の構成と作用をそれぞれ示している。
【００２４】
（炊飯器本体部分の構成）
該電気炊飯器の炊飯器本体は、例えば図１および図２に示すように、内部に誘起されるうず電流によって自己発熱が可能な例えばステンレス鋼板等の磁性金属板よりなる内鍋(飯器ないし保温容器)３と、該内鍋３を任意にセットし得るように形成された合成樹脂製の有底筒状の内ケース（保護枠）４と、該内ケース４を保持する外部筺体である有底筒状の外ケース１と、該外ケース１と上記内ケース４とを一体化して形成された炊飯器器体の上部に開閉可能に設けられた蓋ユニット２とから構成されている。
【００２５】
上記内ケース４の底壁部４ａの下方側にはコイル台７が設けられ、その上部には、フェライトコア７ａを介し、上記内鍋３の底壁部３ａの中央部と側方部の各位置に対応して各々リッツ線が同心状に巻成された２組の底面ワークコイルＣ1，Ｃ2、また内鍋３の側壁部３ｂに対応して側面ワークコイルＣ3が、それぞれ内鍋３の底壁部３ａの中央部から側壁部３ｂに到る略全体を包み込むように設けられており、それらにより通電時には内鍋３の略全体にうず電流を誘起して、その全体を略均一に加熱するようになっている。
【００２６】
また、上記内ケース４の側壁部４ｂには、保温時において加熱手段として機能する保温ヒータＨ1が設けられており、保温時において上記内鍋３の全体を有効かつ均一に加熱するようになっている。
【００２７】
また、上記内ケース４の前方側には、ワークコイルＣ1，Ｃ2，Ｃ3、保温ヒータＨ1、肩ヒータＨ2等を駆動制御する上記ＩＧＢＴやヒータ駆動回路、電源電圧整流用のダイオードブリッジ、平滑回路などを備えた制御回路基板９が上下方向に延びて設けられている。
【００２８】
この制御回路基板９の下部には、例えば上記ＩＧＢＴに接して放熱用のヒートシンク１９が設けられ、その下部側には冷却ファン１７が設けられている。冷却ファン１７は、上記外ケース１の底部に形成された空気吸込グリル４９ａから吸入した空気を上記ヒートシンク１９および制御回路基板９を介して内ケース４の外周囲に流し、必要な発熱部の冷却を行う。
【００２９】
また上記外ケース１は、上下方向に筒状の金属製のカバー部材１ａと、該カバー部材１ａの上端部に結合された合成樹脂製の肩部材１１と、上記カバー部材１ａの下端部に一体化された合成樹脂製の底部材１ｂとからなり、かつ上記内ケース４の底壁部４ａとの間に所定の広さの断熱および通風空間部を形成した全体として有底の筒状体に構成されている。そして、該外ケース１の前面部上方には、例えば図３に示すような略半月形状の操作パネル部２０が設けられている。
【００３０】
該操作パネル部２０の内側には、図３に示すように、十分に広く大きな表示面積をもつ液晶表示部２１（後述するように、この液晶表示部２１は、ドットマトリクス（フルドットマトリクス）表示方式の液晶パネル５３Ａにより構成される）が設けられ、その周囲には後述するマイコン基板５１上に設けられている炊飯スイッチ２６ａの操作面２２ａ、タイマー予約スイッチ２６ｂの操作面２２ｂ、取消スイッチ２６ｃの操作面２２ｃ、保温スイッチ２６ｄの操作面２２ｄ、コース選択スイッチ２６ｅの操作面２２ｅ、メニュー選択スイッチ２６ｆの操作面２２ｆ、炊き分けスイッチ２６ｇの操作面２２ｇ、時スイッチ２６ｈの操作面２２ｈ、分スイッチ２６ｉの操作面２２ｉ等の各種操作スイッチの操作面（タッチ面）が配設されている。
【００３１】
そして、該操作パネル２０の内側下方（裏面側下方）には、基板取付ブラケット５を介してマイコン基板５１が前後方向に所定の角度傾斜して設けられている。
【００３２】
マイコン基板取付ブラケット５は、例えば図２、図３に詳細に示すように、その下部５ａ側を本体側肩部材１１から下方に伸びた前面側枠部材１１ａの下部に対して固定することにより支持されており、後方側に傾斜した上部５ｂ側の前面にマイコン基板５１を取り付けている。
【００３３】
マイコン基板（マスター基板）５１上には、例えば図４、図５に示すように、電気回路部品として後述するマイコン制御ユニット（炊飯・パン・調理・保温等の加熱制御機能とセグメント表示方式の液晶パネル５３Ｂの表示制御機能とを備えたマスターマイコン）３２およびＥＥＰＲＯＭ４５、バックアップ電源４８などが設けられており、液晶パネル取付部材としての合成樹脂製の液晶ホルダー５５を介してドットマトリクス表示方式の液晶パネル５３Ａ（又は必要に応じてセグメント表示方式の液晶パネル５３Ｂ）が設置されるようになっている。
【００３４】
この液晶ホルダー５５は、先ず上面側には凹溝面状の液晶パネル嵌合部５５ａが、また下面側には表示制御基板取付部５５ｂが、さらに外周部には図示しない弾性支持片を介して上記各入力スイッチ２６ａ〜２６ｉ（全ては図示せず）の操作ロッド２３ａ〜２３ｉ（全ては図示せず）および取付脚２５，２５・・・が、それぞれ設けられている。
【００３５】
そして、同液晶ホルダー５５には、上面側液晶パネル嵌合部５５ａに、ドットマトリクス方式の液晶パネル５３Ａ（図１、図２、図４参照）又は従来型のセグメント表示方式の液晶パネル５３Ｂ（図５参照）の何れかが任意に選択して嵌合設置されるようになっている。また、下面側表示制御基板取付部５５ｂには、上記ドットマトリクス表示方式の液晶パネル５３Ａに対応した表示制御基板５２が取り付けられる。この表示制御基板５２には、図４に示すように表示制御用のマイコン５２ａと液晶駆動回路５２ｂが設けられている
そして、同液晶ホルダー５５は、そのように何れか一つの液晶パネル５３Ａ又は５３Ｂを嵌合した状態で、上記取付脚２５，２５・・・を上記マイコン基板５１側の取付穴に挿入して係合することにより、上記マイコン基板５１上に所定の間隔を保って取り付けられる（図１〜図４は、ドットマトリクス表示方式の液晶パネル５３Ａを搭載した状態を示している）。なお図２中の符号５６は、液晶パネル５３Ａ表面に貼られた液晶カバーを示す。
【００３６】
マイコン基板５１上のマイコン制御ユニット３２には、各入力スイッチ２６ａ〜２６ｉを介して入力されたユーザーの指示内容を判断する所望の認識手段が設けられており、該認識手段で認識されたユーザーの指示内容に応じた液晶パネル５３Ａ（５３Ｂ）の表示画面上への必要な表示、また同指示内容に応じた所望の炊飯／調理又は保温機能、所望の炊飯／調理又は保温メニュー、それら炊飯／パン／調理又は保温のコースメニュー、同コースに対応して選択可能なメニュー、同メニューに応じた炊き分けに対応した所定の加熱パターンを設定して、その炊飯加熱制御手段又は保温加熱制御手段を適切に作動させて所望の炊飯／パン／調理又は保温を行うようになっている。
【００３７】
したがって、ユーザーは、上記各入力スイッチ２６ａ〜２６ｉを使って炊飯／パン／調理又は保温、タイマー予約モード、予約モードでのコース、メニュー、炊き分け、時刻設定、白米又は玄米、早炊き、炊込み、おこわ等のメニュー、極うま、甘み、ふつう、かため、やわらかめ、おこげ等の炊き分けその他の各種の炊飯／パン／調理又は保温機能の選択設定内容を入力すれば、それに対応した機能内容が当該マイコン制御ユニット３２内の認識手段を介して炊飯／パン／調理および保温加熱パターン等設定部に自動的に設定入力され、対応する炊飯／パン／調理又は保温加熱制御が所望の制御パターン（通常／省エネ）で適切になされるようになる。
【００３８】
一方、符号２は蓋ユニットであり、該蓋ユニット２は、その外周面を構成する合成樹脂製の外カバー１２と、内周面を構成する真空二重壁構造の内カバー１３と、該内カバー１３の下側に着脱可能に設けられた金属製の放熱板１６とから構成されている。なお、符号１４は、内鍋３の開口縁部３ｃに対応するようにして上記放熱板１６の外周縁部内側に設けられたシール用のラバー製パッキン、２ａは蒸気排出口の蒸気キャップである。
【００３９】
この蓋ユニット２は、上記外ケース１後部の肩部材１１部分に対してヒンジ機構を介して上下方向に回動自在に取付けられており、その開放端側には、該蓋ユニット２の所定位置に係合して該蓋ユニット２の上下方向への開閉を行うロック／アンロック機構１８が設けられている。
【００４０】
（液晶表示部２１の構成）
本実施の形態の場合、図３のように基本的に上記ドットマトリクス表示方式の液晶パネル５３Ａを採用して構成されるようになっており、同液晶パネル５３Ａの通常画面（図３参照）では、選択可能なコースとして、標準、健康、パン、調理の４コース、これら各コースの中で各種のメニュー項目、それら各種のメニュー項目の中で、さらに各種の炊き分け項目が順次階層的に表示されるようになっている。
【００４１】
コース、メニュー、炊き分けの各表示領域は、上方から下方に３段に区分して設置され、各項目は各々左右方向に並べて表示されるようになっている。
【００４２】
そして、同コース、メニュー、炊き分け３段の各表示部の右側操作パネル部には、それらコース、メニュー、炊き分けの各々に対応してコース選択スイッチ２６ｅの操作面２２ｅ、メニュースイッチ２６ｆの操作面２２ｆ、炊き分けスイッチ２６ｇの操作面２２ｇが設けられている。
【００４３】
このように、表示部を上下方向に複数段とし、それに併せて操作部を横並びに対応させて設けると、画面上の表示項目と操作スイッチ部とが左右に連動し、非常に操作しやすくなる。
【００４４】
また、以上の場合、上記上段側表示部の表示を行った後に下段側の表示を行う場合には、上段側の表示内容が記憶手段に記憶されているが、それとは逆に下段側の表示を行った後に上段側の表示を行った場合には下段側の表示内容の記憶はなされないようになっている。
【００４５】
このような構成によれば、誤った対応関係での設定を防止することができる。
【００４６】
（１）  コースの選択
以上の構成において、上記コース選択スイッチ２６ｅの操作面２２ｅがＯＮ操作されると、例えば図６に示されるように、図３の通常画面（標準コース／白米メニュー／極うま）から、健康コース／玄米／ＧＡＢＡ増量、パンコース／発酵メニュー／２０分、調理メニュー／高温メニュー／３０分に順次画面が切りかわり、サーキュレーション状態で、ＯＮする度に、それらの画面表示が繰り返される。
【００４７】
（２）  標準コース、白米メニュー、極うまでの炊飯
これは、家庭における最も一般的な炊飯パターンであり、例えば図７に示すように、図３の通常画面から、図７の待機画面（白米、極うま／炊飯で開始）に移り、炊飯スイッチ２６ａの操作面２２ａをＯＮ操作すれば炊飯に移ることをユーザーに対してガイドする。
【００４８】
そして、同状態で、炊飯スイッチ２６ａの操作面２２ａがＯＮ操作されると、炊飯動作を開始し、白米・極うまで炊飯中であること、現在時刻は１８：３０、炊き上りまで残り約３０分であることをそれぞれ表示する。
【００４９】
そして、さらに炊飯が完了して保温動作に移行すると、炊きたて保温６時間で保温中、保温経過時間が３時間であることを表示する。
【００５０】
（３）  標準コース、白米メニュー、ふつうのタイマー予約モードでの炊飯
この場合は、例えば図３の通常画面（標準コース）から白米メニュー・ふつうを選択した後に、予約時間設定画面を出して、図８のように炊き上り予約時間２０：３０を設定する。
【００５１】
そして、その後、予約時間２０：３０に対応した炊飯開始時刻がくるまで、予約時間２０：３０、現在予約中の表示を行ないながら、炊飯開始時刻がくると炊飯を開始して、炊飯動作中であることを表示する。
【００５２】
そして、やがて炊飯が完了して保温動作に移行すると、保温中、保温経過時間の表示を行ないながら保温を実行する。
【００５３】
（各種の画面表示）
本実施の形態では、上述の各コースとメニュー、炊き分けの組合せによって、各種の炊飯（白米・玄米）／パン／調理／保温の加熱制御を行うことができるが、そのためのコース、メニュー、炊き分け設定のために、次のような各種の画面表示等が準備されている。
【００５４】
（１）  コースメニュー選択画面
１−１）  標準コース（白米メニュー）：６画面・・・図９参照
１−２）  標準コース（早炊きメニュー）：４画面・・・図１０参照
１−３）  健康コース（玄米／発芽玄米／分づき／おかゆメニュー）：５画面・・・図１１参照
１−４）  パンコース（発酵／クリーニング／焼きメニュー）：３画面・・・図１２参照
１−５）  調理コース（高温／中温／低温／蒸し）：４画面・・・図１３参照
（２）  待機画面
２−１）  標準コース（白米／早炊き／炊込み／おこわメニュー）：１０画面・・・図１４参照
２−２）  健康コース（玄米／玄米ＧＡＢＡ増量／発芽玄米／分づき／おかゆメニュー）：５画面・・・図１５参照
２−３）  パンコース（発酵／焼き／クリーニングメニュー）：３画面・・・図１６参照
２−４）  調理コース（高温／中温／低温／蒸しメニュー）：４画面・・・図１７参照
（３）  動作中画面
３−１）  標準コース（白米／早炊きメニュー）：８画面・・・図１８参照
３−２）  保温中／再加熱中／おかゆ炊き上り等の表示：７画面・・・図１９参照
３−３）  パンコース（発酵中／炊き上げ中／発酵終了／クリーニング中）：８画面・・・図２０参照
３−４）  調理コース（加熱調理中／蒸し調理中／保温中）：５画面・・・図２１参照
（コース／メニュー／炊き分け・・・設定制御）
以上のような各種の画面表示が可能な本実施の形態の電気炊飯器では、例えば図２２〜図２５の各フローチャートに示されるような各種の視認性、操作性を向上させるための表示制御が行われる。
【００５５】
（１）  メニュー選択画面からの一般的な設定制御（図２２参照）
今、上述の図９〜図１３の各コース毎のメニュー選択画面を表示する。
【００５６】
そして、炊飯（標準又は健康コースの何れか）である場合（ステップＳ1でＹＥＳ）には、ステップＳ10で炊飯に関連するメニュー画面（図９〜図１１）に切り換えて、必要な設定を行う。
【００５７】
他方、炊飯でないＮＯの場合には、ステップＳ2〜Ｓ9で、順次「コース？」、「メニュー？」、「炊き分け？」、「予約？」、「保温？」、「予約時間の時？」、「予約時間の分？」、「取消？」の判定を行ない、それぞれの判定に該当するＹＥＳの場合には、順次「次のコースの表示」（ステップＳ2からＳ11）、「次のメニューの表示」（ステップＳ3からＳ12）、「次の炊き分け項目の表示」（ステップＳ4からＳ13）、「予約時間設定画面への切り換え」（ステップＳ5からＳ14）、「保温設定画面又は保温画面への切り換え」（Ｓ6からステップＳ15）、「時刻（時）設定画面への切り換え」（ステップＳ7からＳ16）、「時刻（分）設定画面への切り換え」（ステップＳ8からＳ17）、「待機画面への切り換え」（ステップＳ9からＳ18）が行われる。
【００５８】
これによって、各コースの内の何れかのコースのものが、通常モード又は予約モード、所定のメニュー内容、所定の炊き分け内容で設定される。
【００５９】
そして、それらの各種設定操作に関して、例えば図２９に示すように、標準コース、白米メニュー、おこげの予約炊飯の場合は、予約メニュー選択画面上に「時・分で時刻を設定し、炊飯スイッチを押すことにより決定」、一旦時刻「２０：３０」が設定された時間設定画面上で「時・分スイッチで時間変更」、健康コース、玄米メニュー、ＧＡＢＡ増量の待機画面上で「炊飯スイッチのＯＮで炊飯開始」、パンコース、発酵メニュー、時間１２：５８の待機画面上で「時間を設定開始」などのメッセージを表示して次の操作／動作をガイダンスする。
【００６０】
したがって、ユーザーは、画面上の指示に従って操作し、確認すれば良いので、作業が楽になる。
【００６１】
（２）  予約メニュー選択画面からのコース・メニュー・炊き分け設定制御（図２３参照）
以上の図２２のフローチャートの場合、メニューおよび炊き分け内容共に準備されている全ての項目が表示され、表示された項目を見ながら設定すればよい。
【００６２】
これは、例えば図９の標準コースの白米メニューのように、メニューに応じた各種の炊き分け項目を持つ場合であっても、また図１０の標準コースの「おこわ」や図１１の健康コースの「発芽玄米」、「分づき」、「おかゆ」メニューのように、本来炊き分け項目をもたないメニューの場合にも同様である。
【００６３】
ところが、コース選択として予約モード（予約設定）を選択した場合において、コースやメニュー、炊き分け操作を行った場合、予約できるか否かが不明なものもあり、ユーザーには分かりにくい。なお、この予約モード（予約設定）の表示は、最上段のコースメニューの空きスペースを利用して行われる。
【００６４】
従来、このような場合、設定操作に対して無効音を発生させて、ユーザーに知らせることも行われていたが、明確ではなかった。
【００６５】
そこで、本実施の形態では、例えば図２７に示すように、本来予約モードで設定できない炊き分け内容は、最初から表示を省略するとともに、必要に応じて例えば図２８のような新たな専用画面を表示して明確にユーザーに認識させるようにしている。
【００６６】
今、例えば予約モードが選択され、それに対応して図２６および図２７のような各コース毎の予約メニュー選択画面を表示する時、例えば図２７に示すように予約モードで予約できない炊き分け項目は、最初から表示しない。
【００６７】
そして、次に炊飯（標準又は健康コースの何れか）であるか否かを判定し、炊飯である場合（ステップＳ1でＹＥＳ）には、ステップＳ10で炊飯に関連する設定画面（図２０、図２７）を表示して、必要な設定を行う。
【００６８】
他方、ＮＯの炊飯以外のコース、メニューである場合には、ステップＳ2〜Ｓ9で、順次「コース？」、「メニュー？」、「炊き分け？」、「予約？」、「保温？」、「予約時間の時？」、「予約時間の分？」、「取消？」の判定を行ない、それぞれの判定に該当するＹＥＳの場合には、順次「次のコースの表示」（ステップＳ2からＳ11）、「次のメニューの表示」（ステップＳ3からＳ12）、「次の炊き分け項目の表示」（ステップＳ4からＳ13）、「予約時間設定画面への切り換え」（Ｓ5からステップＳ14）、「保温設定画面又は保温画面への切り換え」（Ｓ6からステップＳ15）、「時刻（時）設定画面への切り換え」（ステップＳ7からＳ16）、「時刻（分）設定画面への切り換え」（ステップＳ8からＳ17）、「待機画面への切り換え」（ステップＳ9からＳ18）が行われる。
【００６９】
これによって、各コースの内の何れかのコースのものが、通常モード又は予約モード、所定のメニュー内容、所定の炊き分け内容で設定される。
【００７０】
そして、それらの各種設定操作に関しても、例えば図２９に示すように、標準コース、白米メニュー、おこげの予約炊飯の場合は、予約メニュー選択画面上に「時・分で時刻を設定し、炊飯スイッチを押すことにより決定」、一旦時刻「２０：３０」が設定された時間設定画面上で「時・分スイッチで時間変更」、健康コース、玄米メニュー、ＧＡＢＡ増量の待機画面上で「炊飯スイッチのＯＮで炊飯開始」、パンコース、発酵メニュー、時間１２：５８の待機画面上で「時間を設定開始」などのメッセージを表示して次の操作／動作をガイダンスする。
【００７１】
したがって、ユーザーは、画面上の指示に従って操作し、確認すれば良いので、作業が楽になる。
【００７２】
（３）  予約時間設定画面からの設定制御（図２４参照）
今、上述の図２３のステップＳ1〜Ｓ5、ステップＳ5からＳ14へ進んだ場合において、表示される予約時間設定画面（図２９の左側下図のもの）を表示する。
【００７３】
そして、予約しようとするコースが炊飯（標準又は健康コースの何れか）である場合（ステップＳ1でＹＥＳ）には、ステップＳ10で同予約炊飯確定画面に切り換えて、設定を完了する。そして、それによりタイマー予約炊飯が実行される。
【００７４】
このようにして、炊飯が開始された場合、例えば図３０に示すように、必要に応じて現在の動作状態、進行状態を表示し、ユーザーに安心感を与える。
【００７５】
さらに、もしも何らかの不具合が生じたり、異常状態が生じた場合にも、それらの事実、状態を図３１のように画面表示して報知する。
【００７６】
他方、炊飯でないＮＯの場合には、ステップＳ2〜Ｓ9で、順次「コース？」、「メニュー？」、「炊き分け？」、「予約？」、「保温？」、「予約時間の時？」、「予約時間の分？」、「取消？」の判定を行ない、それぞれの判定に該当するＹＥＳの場合には、順次「次の予約メニュー選択画面の表示」（ステップＳ2からＳ11）、「次の予約メニュー選択画面の表示」（ステップＳ3からＳ12）、「次の予約メニュー選択画面の表示」（ステップＳ4からＳ13）、「次の予約時間設定画面への切り換え」（ステップＳ5からＳ14）、「保温設定画面又は保温画面への切り換え」（Ｓ6からステップＳ15）、「時刻の（時）のインクリメント」（ステップＳ7からＳ16）、「時刻の（分）のインクリメント」（ステップＳ8からＳ17）、「待機画面への切り換え」（ステップＳ9からＳ18）が行われる。
【００７７】
これによって、各コースの内の何れかのコースのものが、さらに通常モード又は予約モード、所定のメニュー内容、所定の炊き分け内容で設定される。
【００７８】
そして、以上の予約炊飯の場合、例えば図２９のように、次の操作や方法を順次ガイドし、ユーザーの操作ができるだけ楽になるようにする。
【００７９】
（４）待機画面からの設定制御（図２５参照）
以上のようにして、通常モード／予約モード各々のコース、メニュー、炊き分けの設定が終了すると、図１０〜図１７のような待機状態となるので、これらの画面を表示する。
【００８０】
そして、それが炊飯（標準又は健康コースの何れか）である場合（ステップＳ1でＹＥＳ）には、ステップＳ10で同炊飯の何れかの待機画面（図９〜図１１）で炊飯スイッチを押し、炊飯を開始する。
【００８１】
他方、炊飯でないＮＯの場合には、ステップＳ2〜Ｓ9で、順次「コース？」、「メニュー？」、「炊き分け？」、「予約？」、「保温？」、「予約時間の時？」、「予約時間の分？」、「取消？」の判定を行ない、それぞれの判定に該当するＹＥＳの場合には、順次「メニュー選択画面」（ステップＳ2からＳ11）、「次のメニュー選択画面の表示」（ステップＳ3からＳ12）、「次のメニュー選択画面の表示」（ステップＳ4からＳ13）、「予約時間設定画面への切り換え」（ステップＳ5からＳ14）、「保温設定画面又は保温画面への切り換え」（Ｓ6からステップＳ15）、「時刻（時）設定画面への切り換え」（ステップＳ7からＳ16）、「時刻（分）設定画面への切り換え」（ステップＳ8からＳ17）、「待機画面への切り換え」（ステップＳ9からＳ18）が行われる。
【００８２】
ところで、上述のステップＳ1〜Ｓ9のようにして、炊飯が開始された場合、例えば図３０に示すように、必要に応じて現在の動作状態、進行状態を表示し、ユーザーに安心感を与える。
【００８３】
さらに、もしも何らかの不具合が生じたり、異常状態が生じた場合にも、それらの事実、状態を図３１のように画面表示して報知する。
【図面の簡単な説明】
【００８４】
【図１】本願発明の最良の実施の形態に係る電気炊飯器の炊飯器本体全体の構成を示す断面図である。
【図２】同電気炊飯器の液晶表示部を中心とする操作パネル部分の拡大断面図である。
【図３】同電気炊飯器の液晶表示部を中心とする操作パネル部分の拡大断面図である。
【図４】同電気炊飯器のドットマトリクス表示方式の液晶パネル搭載時の制御回路構成を示す図である。
【図５】同電気炊飯器のセグメント表示方式の液晶パネル搭載時の制御回路構成を示す図である。
【図６】同電気炊飯器の上段側コースメニュー選択操作時の表示内容の変化を示す図である。
【図７】標準コースで、白米メニュー／極うま炊き分けを選択した時の待機状態から、炊飯、炊飯終了後の保温中までの表示内容の変化を示す図である。
【図８】標準コースで、白米メニュー／ふつう炊き分けを選択した時の予約時間設定状態から、タイマー予約完了、予約炊飯、予約炊飯終了後の保温中までの表示内容の変化を示す図である。
【図９】標準コースの通常モードにおける白米メニュー選択画面を示す図である。
【図１０】標準コースの通常モードにおける早炊き、炊込み、おこわメニュー選択画面を示す図である。
【図１１】健康コースの通常モードにおける白米以外の各種メニュー選択画面を示す図である。
【図１２】パンコースの通常モードにおけるメニュー選択画面を示す図である。
【図１３】調理コースの通常モードにおけるメニュー選択画面を示す図である。
【図１４】標準コースで、白米、早炊き、炊込み、おこわ各メニューにおける各種炊き分け設定内容とその待機画面を示す図である。
【図１５】健康コースの玄米等各メニューにおける炊き分け設定内容とその待機画面を示す図である。
【図１６】パンコースにおける設定内容とその待機画面を示す図である。
【図１７】調理コースにおける設定内容とその待機画面を示す図である。
【図１８】標準コースの白米メニュー選択時における各種炊き分け内容とその動作状態表示画面を示す図である。
【図１９】標準コースの白米メニュー炊飯完了後における保温動作状態表示画面を示す図である。
【図２０】パンコース選択時における動作状態の表示画面を示す図である。
【図２１】調理コース選択時における動作状態表示画面を示す図である。
【図２２】メニュー選択画面の状態から、コース、メニュー、炊き分け、予約、保温等の各種必要画面に移る時の表示動作の変化を示すフローチャートである。
【図２３】予約メニュー選択画面の状態から、コース、メニュー、炊き分け、予約、保温等の各種必要画面に移る時の表示動作の変化を示すフローチャートである。
【図２４】予約時間設定画面の状態から、コース、メニュー、炊き分け、予約、保温等の各種必要画面に移る時の表示動作の変化を示すフローチャートである。
【図２５】待機画面の状態から、コース、メニュー、炊き分け、予約、保温等の各種必要画面に移る時の表示動作の変化を示すフローチャートである。
【図２６】タイマー予約モード選択時において、設定可能な標準コースの白米メニューとその炊き分け内容を示す図である。
【図２７】タイマー予約モード選択時において、設定可能な健康コースの玄米等のメニューとその炊き分け内容を示す図である。
【図２８】タイマー予約モード選択時に、選択設定したコース又はメニューがタイマー予約モードでは実行できないものであった場合に示される表示画面の一例を示す図である。
【図２９】次の操作をガイド表示する表示画面の一例を示す図である。
【図３０】動作状態を示す表示画面の一例を示す図である。
【図３１】誤操作又は炊飯器本体側に異常がある場合のメッセージ画面の一例を示す図である。
【符号の説明】
【００８５】
Ｃ1，Ｃ2，Ｃ3はワークコイル、Ｈ1は保温ヒータ、Ｈ2は肩ヒータ、１は外ケース、２は蓋ユニット、３は内鍋、２０は操作パネル、２１は液晶表示部、３２はマイコン制御ユニット、５１はマイコン基板、５２は表示制御基板、５３Ａはドットマトリクス表示方式の液晶パネル、５３Ｂはセグメント表示方式の液晶パネル、５５は液晶ホルダーである。
【図１】
2007050039.tif 000003
【図２】
2007050039.tif 000004
【図３】
2007050039.tif 000005
【図４】
2007050039.tif 000006
【図５】
2007050039.tif 000007
【図６】
2007050039.tif 000008
【図７】
2007050039.tif 000009
【図８】
2007050039.tif 000010
【図９】
2007050039.tif 000011
【図１０】
2007050039.tif 000012
【図１１】
2007050039.tif 000013
【図１２】
2007050039.tif 000014
【図１３】
2007050039.tif 000015
【図１４】
2007050039.tif 000016
【図１５】
2007050039.tif 000017
【図１６】
2007050039.tif 000018
【図１７】
2007050039.tif 000019
【図１８】
2007050039.tif 000020
【図１９】
2007050039.tif 000021
【図２０】
2007050039.tif 000022
【図２１】
2007050039.tif 000023
【図２２】
2007050039.tif 000024
【図２３】
2007050039.tif 000025
【図２４】
2007050039.tif 000026
【図２５】
2007050039.tif 000027
【図２６】
2007050039.tif 000028
【図２７】
2007050039.tif 000029
【図２８】
2007050039.tif 000030
【図２９】
2007050039.tif 000031
【図３０】
2007050039.tif 000032
【図３１】
2007050039.tif 000033